(57)【要約】【課題】負荷であるフレア現像ローラの数が増えても、補助電源の容量を大きくする必要のない画像形成装置を提供する。【解決手段】電源１１０から電力が供給され、フレア現像ローラ１０２（Ｃ１〜Ｃ４）に対して電圧を供給する補助電源１１１と、フレア現像ローラ１０２（Ｃ１〜Ｃ４）それぞれへの補助電源１１１からの電圧の供給／遮断の切り替えを行うＳＷ１〜ＳＷ４と、フルブリッジ回路１０３の一動作周期以内にフレア現像ローラ１０２（Ｃ１〜Ｃ４）全てに対して電圧供給を完了させ、かつ、２個以上のフレア現像ローラ１０２に同時に電圧を供給しないように、ＳＷ１〜ＳＷ４の切替制御を行うスイッチＯＮ／ＯＦＦ制御部１２２と、を備える。【選択図】図３
2013130839.tif 000002
【特許請求の範囲】
【請求項１】
直流高圧電源の出力を複数のフレア現像ローラを有するブリッジ回路でスイッチングし、交流電圧を生成してフレア現像を行う画像形成装置であって、
前記直流高圧電源から電力が供給され、前記複数のフレア現像ローラに対して電圧を供給する電圧供給手段と、
前記複数のフレア現像ローラそれぞれへの前記電圧供給手段からの電圧の供給／遮断の切り替えを行う複数の電圧供給／遮断切替手段と、
前記ブリッジ回路の一動作周期以内に前記複数のフレア現像ローラ全てに対して電圧供給を完了させ、かつ、２個以上のフレア現像ローラに同時に電圧を供給しないように、前記電圧供給／遮断切替手段の切替制御を行う切替制御手段と、
を備えることを特徴とする画像形成装置。
【請求項２】
前記切替制御手段は、前記フレア現像ローラがｎ個の場合、前記電圧供給／遮断切替手段のオン時間は、前記ブリッジ回路のスイッチング周期の１／ｎより短く、前記フレア現像ローラの充電が完了までに要する時間よりも長くする制御を行うことを特徴とする請求項１に記載の画像形成装置。
【請求項３】
前記切替制御手段は、前記電圧供給／遮断切替手段のオンから次の前記電圧供給／遮断切替手段がオンするまでの時間は、前記電圧供給手段の放電に要する時間と前記電圧供給手段の充電量が所定値以上となる時間の合計よりも、長くする制御を行うことを特徴とする請求項１に記載の画像形成装置。
【請求項４】
さらに、前記電圧供給手段の充電量を検知する充電量検知手段を有し、
前記切替制御手段は、前記充電量検知手段により前記電圧供給手段の充電量が所定値以上であると検知した後に前記電圧供給／遮断切替手段をオンすることを特徴とする請求項１に記載の画像形成装置。
【請求項５】
前記充電量検知手段は、前記電圧供給手段の充電量を検知するための電圧検知手段を備えることを特徴とする請求項４に記載の画像形成装置。
【請求項６】
前記充電量検知手段は、前記電圧供給手段の充電量を検知するための電流検知手段を備えることを特徴とする請求項４に記載の画像形成装置。
【請求項７】
前記電力供給／遮断切替手段は、片切りのスイッチとすることを特徴とする請求項１に記載の画像形成装置。
【請求項８】
直流高圧電源から電力が供給され、前記複数のフレア現像ローラに対して電圧を供給する電圧供給手段と、前記複数のフレア現像ローラそれぞれへの前記電圧供給手段からの電圧の供給／遮断の切り替えを行う複数の電圧供給／遮断切替手段と、を有し、直流高圧電源の出力を複数のフレア現像ローラを有するブリッジ回路でスイッチングし、交流電圧を生成してフレア現像を行う画像形成装置で実行される制御方法であって、
前記ブリッジ回路の一動作周期以内に前記複数のフレア現像ローラ全てに対して電圧供給を完了させ、かつ、２個以上のフレア現像ローラに同時に電圧を供給しないように、前記電圧供給／遮断切替手段の切替制御を行う切替制御工程を含むことを特徴とする制御方法。
【請求項９】
直流高圧電源から電力が供給され、前記複数のフレア現像ローラに対して電圧を供給する電圧供給手段と、前記複数のフレア現像ローラそれぞれへの前記電圧供給手段からの電圧の供給／遮断の切り替えを行う複数の電圧供給／遮断切替手段と、を有し、直流高圧電源の出力を複数のフレア現像ローラを有するブリッジ回路でスイッチングし、交流電圧を生成してフレア現像を行うコンピュータで実行されるプログラムであって、
前記ブリッジ回路の一動作周期以内に前記複数のフレア現像ローラ全てに対して電力供給を完了させ、かつ、２個以上のフレア現像ローラに同時に電力を供給しないように、前記電力供給／遮断切替手段の切替制御を行う切替制御ステップを、前記コンピュータに実行させるためのプログラム。
【発明の詳細な説明】
【技術分野】
【０００１】
本発明は、画像形成装置、制御方法およびプログラムに関する。
【背景技術】
【０００２】
従来、フレア現像は、高容量のフレア現像ローラに交流電圧を印加することで、トナーをホッピングさせた状態で現像を行うものである。このフレア現像に用いるフレア現像用高圧電源は、直流電圧源の出力をブリッジ回路でスイッチングすることで交流電圧を生成する構成となっている。特に、上記フレア現像用高圧電源は、高容量のフレア現像ローラに交流電圧を印加する際、大量の電力を短時間に必要とするため、直流電圧源からの電力供給だけではなく、充電可能なコンデンサ等の補助電源からの電力を用いることで、より急速に交流電圧波形を立ち上げる技術が知られている。
【０００３】
また、複数の負荷回路に電力を供給でき、かつハーフブリッジ構成の電力変換手段に接続されている負荷回路に供給する電力を制御する目的で、負荷回路が接続されている一対のスイッチング素子との直列回路において、両スイッチング素子のオン期間を制御することで複数の負荷（放電灯）への出力を制御するとともに、各負荷（放電灯）に供給される電力を一定にするように、スイッチング素子のオンオフタイミングの位相を制御するインバーター装置が開示されている（たとえば、特許文献１参照）。
【発明の概要】
【発明が解決しようとする課題】
【０００４】
しかしながら、上記に示されるような従来の技術にあっては、単にコンデンサ等を補助電源として用いるフレア現像用高圧電源では、フレア現像ローラの数が増える（フルカラー機の場合、通常Ｙ，Ｍ，Ｃ，Ｋ色用の４個）と、その分（フルカラー機では４倍）補助電源の容量も大きくする必要があるという問題があった。
【０００５】
また、特許文献１に開示されている技術にあっては、スイッチング素子のオンオフタイミングの制御により電力を制御しているものの、負荷に入力される電力を制御するもので、電源から出力される電力を制御するため、負荷の増加に伴い補助電源の容量が大きくなってしまうという問題があった。
【０００６】
本発明は、上記に鑑みてなされたものであって、容量性負荷であるフレア現像ローラの数が増えても、補助電源の容量を大きくする必要のない画像形成装置を提供することを目的とする。
【課題を解決するための手段】
【０００７】
上述した課題を解決し、目的を達成するために、本発明は、直流高圧電源の出力を複数のフレア現像ローラを有するブリッジ回路でスイッチングし、交流電圧を生成してフレア現像を行う画像形成装置であって、前記直流高圧電源から電力が供給され、前記複数のフレア現像ローラに対して電圧を供給する電圧供給手段と、前記複数のフレア現像ローラそれぞれへの前記電圧供給手段からの電圧の供給／遮断の切り替えを行う複数の電圧供給／遮断切替手段と、前記ブリッジ回路の一動作周期以内に前記複数のフレア現像ローラ全てに対して電圧供給を完了させ、かつ、２個以上のフレア現像ローラに同時に電圧を供給しないように、前記電圧供給／遮断切替手段の切替制御を行う切替制御手段と、を備えることを特徴とする。
【発明の効果】
【０００８】
本発明は、容量性負荷である各フレア現像ローラへの電圧供給経路に電圧供給／遮断切替手段としてのスイッチを設け、順次（同時に複数のフレア現像ローラに電圧を供給しないように）スイッチを切り替えることで、一回の電圧供給に必要な電力を制限するので、フレア現像ローラの数が増えても、電圧供給手段としての補助電源の容量を大きくする必要のない画像形成装置を提供することができるという効果を奏する。
【図面の簡単な説明】
【０００９】
【図１】図１は、電子写真方式のカラー画像形成装置における画像形成部の構成を示す説明図である。
【図２】図２は、本実施の形態にかかる画像形成部に電力を供給する電源装置の概要構成を示すブロック図である。
【図３】図３は、本実施の形態にかかるフレア現像用高圧電源の構成を示す説明図である。
【図４】図４は、図３のフレア現像用高圧電源における動作シーケンスを示すタイミングチャートである。
【図５】図５は、従来におけるフレア現像用高圧電源の構成を示す説明図である。
【図６】図６は、図５のフレア現像用高圧電源における動作シーケンスを示すタイミングチャートである。
【発明を実施するための形態】
【００１０】
以下に添付図面を参照して、この発明にかかる画像形成装置、制御方法およびプログラムの一実施の形態を詳細に説明する。
【００１１】
（実施の形態）
この実施の形態にかかる画像形成装置は、同時に複数のフレア現像ローラに電源を供給しないように、各電源供給経路に備えたスイッチのオンオフタイミングを制御することで、一回の電源供給に必要な電力を制限するものである。
【００１２】
この実施の形態にかかる画像形成装置は、コピー機能、プリンタ機能、スキャナ機能およびファクシミリ機能のうち少なくとも２つの機能を有する一般に複合機と称されるものであって、原稿を読み取り画像データに変換する画像読取部と、画像読取部で原稿を読み取って得られた画像データに対して画像処理を施す画像処理部と、画像処理された画像データに基づき紙面に画像を形成する画像形成部とを有する。
【００１３】
まず、この実施の形態にかかるフレア現像用高圧電源が搭載される画像形成装置について説明する。図１は、電子写真方式のカラー画像形成装置における画像形成部の構成を示す説明図である。
【００１４】
画像形成部は、４つの感光体ドラム１０Ｙ，１０Ｍ，１０Ｃ，１０Ｋと、各感光体ドラム１０Ｙ，１０Ｍ，１０Ｃ，１０Ｋ上に形成した潜像を互いに異なる色のトナー像にそれぞれ現像する複数の現像装置１１Ｙ，１１Ｍ，１１Ｃ，１１Ｋと、異なる色のトナー像がそれぞれ重ね合わせ状態に一次転写される矢印Ａ方向に回転する像担持体としての中間転写ベルト１６とを備えている。
【００１５】
中間転写ベルト１６は、無端状のベルトである。本実施の形態では、中間転写ベルト１６の上方に、中間転写ベルト１６の回動方向Ａに沿って、ブラック，シアン，マゼンタ，イエローの各色用の４個の上述した感光体ドラム１０Ｙ，１０Ｍ，１０Ｃ，１０Ｋ（以下、それぞれを区別する必要がない場合には、単に感光体ドラム１０と記載する）を並列にそれぞれ配置している。感光体ドラム１０の周囲には、帯電装置１２と、前述した現像装置１１と、一次転写装置を構成する一次転写ローラ１４と、クリーニング装置１３がそれぞれ配設されている。
【００１６】
感光体ドラム１０は、回転方向Ｂに回転駆動され、このとき帯電装置１２によって感光体ドラム１０の表面が所定の極性に帯電される。次いで、その帯電面に、露光装置１５から画像データに応じて出射されるレーザ光が照射され、これによって感光体ドラム１０に静電潜像が形成され、その静電潜像が現像装置１１によって各色のトナー像として可視像化される。
【００１７】
各感光体ドラム１０には、一次転写ローラ１４がそれぞれ対向配置されていて、その各一次転写ローラ１４と感光体ドラム１０との間には中間転写ベルト１６が挟まれた状態で回動するようになっている。
【００１８】
このとき、中間転写ベルト１６は、駆動ローラ１７とテンションローラ１９の２個のローラによって支持されている。中間転写ベルト１６を３個以上のローラによって張架しても良いが、できる限り小型化し、高さを抑制するため、本実施の形態では中間転写ベルト１６を２個のローラによって張架することで、高さを抑制している。
【００１９】
つぎに、その中間転写ベルト１６の表面に、各感光体ドラム１０に可視像化されたトナー像が、一次転写ローラ１４の作用によって転写される。このようにして、ブラック（Ｋ），シアン（Ｃ），マゼンタ（Ｍ），イエロー（Ｙ）のトナー像が、中間転写ベルト１６に正確に順次重ね合わせた状態で転写されていき、フルカラーとして合成されたカラー画像のトナー像が形成される。
【００２０】
一方、中間転写ベルト１６を挟んで、駆動ローラ１７（二次転写対向ローラ）に対向して二次転写ローラ１８が配設され、給紙ユニット２１から記録媒体である転写紙Ｐが給紙される。これによりレジストローラ対２２の回転によって、転写紙Ｐが所定のタイミングで、駆動ローラ１７と二次転写ローラ１８の間に送り込まれる。すると、中間転写ベルト１６に担持されている合成カラー画像が二次転写ローラ１８の作用により転写紙Ｐに一括して転写される。
【００２１】
そして、その転写紙Ｐ上のトナー像が、定着装置２３により熱と圧力によって定着され、図示しない排紙トレイ上に排出される。トナー像が二次転写された後の中間転写ベルト１６の表面に付着している転写残トナーは、クリーニング装置２０によって除去および回収される。
【００２２】
なお、図１では、二次転写ローラ１８を介して転写紙に転写する方式の例を示したが転写紙に直接転写する方式の画像形成装置を用いてもよい。
【００２３】
上述した図１の画像形成部における現像装置１１Ｙ，１１Ｍ，１１Ｃ，１１Ｋは、それぞれ高容量のフレア現像ローラ１０２を有している。フレア現像方式は、フレア現像ローラ１０２に逆相のパルス電圧を交互に印加して、充放電を繰り返すことで、印刷中はトナーがフレア現像ローラ１０２上でホッピングした状態となり、トナーのクラウド化を実現している。このパルスを発生させる方式としては、高圧電源の回路としてはＦＥＴ駆動によるフルブリッジ回路による構成によって直流バイアスに重畳させることで実現される。本実施の形態では、この高容量のフレア現像ローラ１０２に後述するフレア現像用高圧電源回路により電圧を印加することで、トナーをホッピングさせた状態で現像するフレア現像を行っている。
【００２４】
図２は、本実施の形態にかかる画像形成部に電力を供給する電源装置の概要構成を示すブロック図である。電源装置１００は、フレア現像用の高圧電源を生成するフレア現像用高圧電源回路１０１と、フレア現像用高圧電源回路１０１からの電力供給を受けて容量性負荷Ｖｆとして機能するフレア現像ローラ１０２に交流電圧を印加するフルブリッジ回路１０３と、フレア現像用高圧電源回路１０１およびフルブリッジ回路１０３を制御するコントローラ１０４と、を備えている。
【００２５】
図３は、本実施の形態にかかるフレア現像用高圧電源の構成を示す説明図である。図３において、高圧電源を生成するフレア現像用高圧電源回路１０１は、電源１１０、補助電源１１１を有する。コントローラ１０４は、充電量検知部１２１、スイッチＯＮ／ＯＦＦ制御部１２２の機能を有するＣＰＵ１２０、ＲＯＭ１２３、ＲＡＭ１２４を備えている。この実施の形態では、充電量検知部１２１は、補助電源１１１の電圧値からその充電量を検知する、あるいは電流値を検知する手段を用いる。また、この実施の形態では、補助電源１１１として電気二重層コンデンサを用いる。
【００２６】
図３は、直流高圧電源である電源１１１の出力を複数のフレア現像ローラ１０２を有するフルブリッジ回路１０３でスイッチングし、交流電圧を生成してフレア現像を行う構成について示している。補助電源１１１は、電源１１１から電力が供給され、複数のフレア現像ローラ１０２に対して電圧を供給する。電圧供給／遮断切替手段の機能を実現するＳＷ１〜４は、複数のフレア現像ローラ１０２それぞれへの補助電源１１１からの電圧の供給／遮断の切り替えを行う。スイッチＯＮ／ＯＦＦ制御部１２２は、フルブリッジ回路１０３の一動作周期以内に複数のフレア現像ローラ１０２全てに対して電圧供給を完了させ、かつ、２個以上のフレア現像ローラ１０２に同時に電圧を供給しないように、ＳＷ１〜４の切替制御を行う。充電量検知部１２１は、補助電源１１１の充電量を検知するものである。
【００２７】
フルブリッジ回路１０３は、一般的なＦＥＴ（Ｆｉｅｌｄ  Ｅｆｆｅｃｔ  Ｔｒａｎｓｉｓｔｏｒ：電界効果型トランジスタ）を用いる。符号ＳＷ＿Ａ＋、ＳＷ＿Ｂ−、ＳＷ＿Ｂ＋、ＳＷ＿Ａ−は、スイッチ手段である。ここでは、フレア現像ローラ１０２に該当するＣ１〜Ｃ４、スイッチ（ＳＷ１〜ＳＷ４：各２対１組）を備える。なお、ＳＷ１〜４は、それぞれ両切りＳＷ１個、すなわちＳＷ１〜４がそれぞれ２個で１部品として構成されている。このようにＳＷ１〜４をそれぞれ片切りＳＷ１個で構成することで、安価でコンパクトな構成が実現する。
【００２８】
このフルブリッジ回路１０３は、ＦＥＴ駆動による、高電位側トランジスタスイッチＳＷ＿Ａ＋、ＳＷ＿Ｂ＋および低電位側トランジスタスイッチＳＷ＿Ａ−、ＳＷ＿Ｂ−を備えている。ここで、高電位側トランジスタスイッチＳＷ＿Ａ＋と、低電位側トランジスタスイッチＳＷ＿Ｂ−と、は対となって動作しており、それぞれのゲート端子に制御信号が入力されることにより同時にオン（閉状態）／オフ（開状態）される。また、同様に高電位側トランジスタスイッチＳＷ＿Ｂ＋と、低電位側トランジスタスイッチＳＷ＿Ａ−と、は対となって動作しており、それぞれのゲート端子に制御信号が入力されることで同時にオン（閉状態）／オフ（開状態）される。したがって、容量性負荷としてのフレア現像ローラ１０２（Ｃ１〜Ｃ４）には、パルス電圧が印加されることとなる。以下、上記高電位側トランジスタスイッチＳＷ＿Ａ＋、ＳＷ＿Ｂ＋および低電位側トランジスタスイッチＳＷ＿Ａ−、ＳＷ＿Ｂ−について、単にＳＷ＿Ａ＋、ＳＷ＿Ｂ−、ＳＷ＿Ｂ＋、ＳＷ＿Ａ−と記述する。これらがそれぞれＳＷ＿Ａ＋、ＳＷ＿Ｂ−およびＳＷ＿Ｂ＋、ＳＷ＿Ａ−で対となり、スイッチ手段のオン（ＯＮ：閉状態）／オフ（ＯＦＦ：開状態）制御を行う。
【００２９】
図３に示すように、フレア現像ローラ１０２Ｃ１のａ，ｂ側にはＳＷ１、フレア現像ローラ１０２Ｃ２のａ，ｂ側にはＳＷ２、フレア現像ローラ１０２Ｃ３のａ，ｂ側にはＳＷ３、フレア現像ローラ１０２Ｃ４のａ，ｂ側にはＳＷ４がそれぞれ接続されている。
【００３０】
図４は、図３のフレア現像用高圧電源における動作シーケンスを示すタイミングチャートである。最初に、補助電源１１１には１つのフレア現像ローラ１０２に供給可能な容量の電荷が蓄電されている必要がある。この図４では、下記［Ａ］、［Ｂ］のシーケンスサイクルを繰り返し行うことで、フレア現像を実現する。このシーケンスサイクルは、ＣＰＵ１２０によって実行され、ＳＷ１〜４の切り替え制御をスイッチＯＮ／ＯＦＦ制御部１２２が行い、補助電源１１１の充電量の検知を充電量検知部１２１によって行う。以下、そのシーケンスについて説明する。
【００３１】
図４に示すように、シーケンス［Ａ］ではスイッチＯＮ／ＯＦＦ制御部１２２は、下記［１］〜［４］の動作を順に行なう。
【００３２】
［１］ＳＷ＿Ａ＋及びＳＷ＿Ｂ−がＯＮ、ＳＷ＿Ｂ＋及びＳＷ＿Ａ−がＯＦＦのときに、ＳＷ１がＯＮすると、補助電源１１１からＳＷ＿Ａ＋を経由してフレア現像ローラ１０２（Ｃ１a）にのみ電荷が供給される。フレア現像ローラ１０２（Ｃ１a）に電荷の供給が完了すると、補助電源１１１は電源１１０からの電力供給を受けて充電され、補助電源１１１に１つのフレア現像ローラ１０２に供給可能な容量の電荷が蓄電される。
【００３３】
［２］つぎにＳＷ１がＯＦＦ、ＳＷ２がＯＮすると、補助電源１１１からＳＷ＿Ａ＋を経由してフレア現像ローラ１０２（Ｃ２ａ）にのみ電荷が供給される。フレア現像ローラ１０２（Ｃ２ａ）に電荷の供給が完了すると、補助電源１１１は電源１１０からの電力供給を受けて充電され、補助電源１１１に１つのフレア現像ローラ１０２に供給可能な容量の電荷が蓄電される。
【００３４】
［３］つぎにＳＷ２がＯＦＦ、ＳＷ３がＯＮすると、補助電源１１１からＳＷ＿Ａ＋を経由してフレア現像ローラ１０２（Ｃ３ａ）にのみ電荷が供給される。フレア現像ローラ１０２（Ｃ３ａ）に電荷の供給が完了すると、補助電源１１１は電源１１０からの電力供給を受けて充電され、補助電源１１１に１つのフレア現像ローラ１０２に供給可能な容量の電荷が蓄電される。
【００３５】
［４］つぎにＳＷ３がＯＦＦ、ＳＷ４がＯＮすると、補助電源１１１からＳＷ＿Ａ＋を経由してフレア現像ローラ１０２（Ｃ４ａ）にのみ電荷が供給される。フレア現像ローラ１０２（Ｃ４ａ）に電荷の供給が完了すると、補助電源１１１は電源１１０からの電力供給を受けて充電され、補助電源１１１に１つのフレア現像ローラ１０２に供給可能な容量の電荷が蓄電される。
【００３６】
続いて、図４に示すように、シーケンス［Ｂ］ではスイッチＯＮ／ＯＦＦ制御部１２２は、下記［５］〜［８］の動作を順に行なう。
【００３７】
［５］ＳＷ＿Ｂ＋及びＳＷ＿Ａ−がＯＮ、ＳＷ＿Ａ＋及びＳＷ＿Ｂ−がＯＦＦのときに、ＳＷ１のみがＯＮすると、補助電源１１１からＳＷ＿Ｂ＋を経由してフレア現像ローラ１０２（Ｃ１ｂ）にのみ電荷が供給される。フレア現像ローラ１０２（Ｃ１ｂ）に電荷の供給が完了すると、補助電源１１１は電源１１０からの電力供給を受けて充電され、補助電源１１１に１つのフレア現像ローラ１０２に供給可能な容量の電荷が蓄電される。
【００３８】
［６］つぎにＳＷ１がＯＦＦ、ＳＷ２がＯＮすると、補助電源１１１からＳＷ＿Ｂ＋を経由してフレア現像ローラ１０２（Ｃ２ｂ）にのみ電荷が供給される。フレア現像ローラ１０２（Ｃ２ｂ）に電荷の供給が完了すると、補助電源１１１は電源１１０からの電力供給を受けて充電され、補助電源１１１に１つのフレア現像ローラ１０２に供給可能な容量の電荷が蓄電される。
【００３９】
［７］つぎにＳＷ２がＯＦＦ、ＳＷ３がＯＮすると、補助電源１１１からＳＷ＿Ｂ＋を経由してフレア現像ローラ１０２（Ｃ３ｂ）にのみ電荷が供給される。フレア現像ローラ１０２（Ｃ３ｂ）電荷の供給が完了すると、補助電源１１１は電源１１０からの電力供給を受けて充電され、補助電源１１１に１つのフレア現像ローラ１０２に供給可能な容量の電荷が蓄電される。
【００４０】
［８］つぎにＳＷ３がＯＦＦ、ＳＷ４がＯＮすると、補助電源１１１からＳＷ＿Ｂ＋を経由してフレア現像ローラ１０２（Ｃ４ｂ）にのみ電荷が供給される。フレア現像ローラ１０２（Ｃ４ｂ）に電荷の供給が完了すると、補助電源１１１は電源１１０からの電力供給を受けて充電され、補助電源１１１に１つのフレア現像ローラ１０２に供給可能な容量の電荷が蓄電される。
【００４１】
スイッチＯＮ／ＯＦＦ制御部１２２は、上記［Ａ］、［Ｂ］のシーケンスサイクルを繰り返して行うことで各フレア現像ローラ１０２に交流電圧を印加する。このとき、補助電源１１１の容量は、１つのフレア現像ローラ１０２の容量よりも大きければよい。
【００４２】
なお、上記シーケンスサイクルにおいて、スイッチのＯＮからつぎのスイッチがＯＮするまでの時間Ｔについては、Ｔ＞（補助電源１１１の放電時間ｔ１＋補助電源１１１の満充電時間ｔ２）の関係とする。
【００４３】
また、スイッチＯＮ／ＯＦＦ制御部１２２は、フレア現像ローラ１０２がｎ個の場合、ＳＷ１〜ＳＷ４のオン時間は、フルブリッジ回路１０３のスイッチング周期の１／ｎより短く、フレア現像ローラ１０２の充電が完了までに要する時間よりも長くする制御を行う。
【００４４】
また、スイッチＯＮ／ＯＦＦ制御部１２２は、充電量検知部１２１により補助電源１１１が所定以上の充電量（満充電）であることを検知した後にＳＷ１〜ＳＷ４をオンする。
【００４５】
したがって、上述した実施の形態によれば、各フレア現像ローラ１０２（Ｃ１〜Ｃ４）への電源供給経路にスイッチＳＷ１〜ＳＷ４を設け、スイッチＯＮ／ＯＦＦ制御部１２２は、順次（同時に複数のフレア現像ローラ１０２に電源を供給しないように）スイッチＳＷ１〜ＳＷ４を切り替えることで、一回の電源供給に必要な電力を制限するので、フレア現像ローラ１０２の数が増えても、補助電源１１１の容量を大きくする必要のないフレア現像用高圧電源を提供することができる。
【００４６】
つぎに上述した図３、図４の実施の形態と比較するために従来におけるフレア現像用高圧電源の構成および動作について説明する。図５は、従来におけるフレア現像用高圧電源の構成を示す説明図である。ここでは、電源１１０、補助電源１１１、フルブリッジ回路１３０、フレア現像ローラ１０２（Ｃ１〜Ｃ４）を備えている。
【００４７】
図６は、図５のフレア現像用高圧電源における動作シーケンスを示すタイミングチャートである。最初に、補助電源には各フレア現像ローラに供給可能な容量の電荷が蓄電されている必要がある。
【００４８】
この図６では、下記［Ｃ］、［Ｄ］のシーケンスサイクルを繰り返すことで、フレア現像を行っている。
【００４９】
図に示すように［Ｃ］シーケンスサイクルでは、ＳＷ＿Ａ＋及びＳＷ＿Ｂ−がＯＮ、ＳＷ＿Ｂ＋及びＳＷ＿Ａ−がＯＦＦになると、補助電源１１１からＳＷ＿Ａ＋を経由して各フレア現像ローラ（Ｃ１ａ〜Ｃ４ａ）に電荷が供給される。各フレア現像ローラ（Ｃ１ａ〜Ｃ４ａ）電荷の供給が完了すると、電源１１０から補助電源１１１に充電がされ、補助電源１１１に各フレア現像ローラ（Ｃ１ａ〜Ｃ４ａ）に供給可能な容量の電荷が蓄電される。
【００５０】
続いて、［Ｄ］シーケンスサイクルでは、ＳＷ＿Ｂ＋及びＳＷ＿Ａ−がＯＮ、ＳＷ＿Ａ＋及びＳＷ＿Ｂ−がＯＦＦになると、補助電源１１１からＳＷ＿Ｂ＋を経由して各フレア現像ローラ（Ｃ１ｂ〜Ｃ４ｂ）に電荷が供給される。各フレア現像ローラ（Ｃ１ｂ〜Ｃ４ｂ）に電荷の供給が完了すると、電源１１０から補助電源１１１に充電がされ、補助電源１１１に各フレア現像ローラ（Ｃ１ｂ〜Ｃ４ｂ）に供給可能な容量の電荷が蓄電される。
【００５１】
上記［Ｃ］、［Ｄ］のシーケンスサイクルを繰り返し各フレア現像ローラに交流電圧を印加する。このとき、補助電源１１１の容量は、全てのフレア現像ローラ（Ｃ１ｂ〜Ｃ４ｂ）の容量の和よりも大きくなければならない。したがって、上述した図３の構成に対して、フレア現像ローラ１０２の数が増えると、その分、補助電源１１１の容量も大きくする必要が生じる。
【００５２】
ところで、本実施の形態で実行されるプログラムは、ＲＯＭ１２３に予め組み込まれて提供するものとしているが、これに限定されるものではない。本実施の形態で実行されるプログラムを、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供してもよい。
【００５３】
また、本実施の形態で実行されるプログラムを、インターネット等のネットワークに接続されたコンピュータ上に格納し、ネットワーク経由でダウンロードさせることにより提供するように構成してもよい。また、本実施の形態で実行されるプログラムをインターネット等のネットワーク経由で提供または配布するように構成してもよい。
【００５４】
本実施の形態で実行されるプログラムは、上述した充電量検知部１２１、スイッチＯＮ／ＯＦＦ制御部１２２を含むモジュール構成となっており、実際のハードウェアとしてはＣＰＵ１２０（プロセッサ）が上記記録媒体からプログラムを読み出して実行することにより上記各部がメモリ等の主記憶装置上にロードされ、充電量検知部１２１、スイッチＯＮ／ＯＦＦ制御部１２２が主記憶装置上に生成されるようになっている。
【００５５】
なお、上記実施の形態では、画像形成装置を、コピー機能、プリンタ機能、スキャナ機能およびファクシミリ機能のうち少なくとも２つの機能を有する複合機に適用した例を挙げて説明したが、複写機、プリンタ、ファクシミリ装置等の画像形成装置であればいずれにも適用することができる。
【００５６】
また、本発明は、当該発明を実施するための形態で述べた実施の形態に限定されるものではない。本発明の主旨をそこなわない範囲で変更することが可能である。
【符号の説明】
【００５７】
１０１  フレア現像用高圧電源回路
１０２  フレア現像ローラ
１０３  フルブリッジ回路
１０４  コントローラ
１１０  電源
１１１  補助電源
１２０  ＣＰＵ
１２１  充電量検知部
１２２  スイッチＯＮ／ＯＦＦ制御部
１２３  ＲＯＭ
１２４  ＲＡＭ
【先行技術文献】
【特許文献】
【００５８】
【特許文献１】特開２０００−０９２８６５号公報
【図１】
2013130839.tif 000003
【図２】
2013130839.tif 000004
【図３】
2013130839.tif 000005
【図４】
2013130839.tif 000006
【図５】
2013130839.tif 000007
【図６】
2013130839.tif 000008